(57)【特許請求の範囲】
【請求項１】
外部に開放する開口と、互いに繋ぎ合わされて少なくとも一方が前記開口を閉塞する第１部材及び第２部材を有する開口閉塞部材とを備えた画像読取装置であって、
前記第１部材及び前記第２部材は、一部が厚み方向において互いに重なるように繋ぎ合わされており、
前記第１部材と前記第２部材との繋ぎ目の重なる部分において、前記第１部材及び前記第２部材のうち少なくとも一方に、厚み方向に延びた凸部が設けられており、
互いに繋ぎ合わされた第１原稿ガイド及び第２原稿ガイドを有する原稿ガイド部材を備え、
前記開口閉塞部材は、前記原稿ガイド部材で構成され、前記第１部材は、前記第１原稿ガイドで構成され、前記第２部材は、前記第２原稿ガイドで構成されており、
前記第１原稿ガイド及び前記第２原稿ガイドのうち、前記凸部が設けられていない側の原稿ガイドは、前記凸部に対向する部分が窪んだ窪み部を有していることを特徴とする画像読取装置。
【請求項２】
外部に開放する開口と、互いに繋ぎ合わされて少なくとも一方が前記開口を閉塞する第１部材及び第２部材を有する開口閉塞部材とを備えた画像読取装置であって、
前記第１部材及び前記第２部材は、一部が厚み方向において互いに重なるように繋ぎ合わされており、
前記第１部材と前記第２部材との繋ぎ目の重なる部分において、前記第１部材及び前記第２部材のうち少なくとも一方に、厚み方向に延びた凸部が設けられており、
前記第１部材と前記第２部材との繋ぎ目の重なる部分において、前記第１部材及び前記第２部材のうち少なくとも一方に、複数の前記凸部が設けられていることを特徴とする画像読取装置。
【請求項３】
外部に開放する開口と、互いに繋ぎ合わされて少なくとも一方が前記開口を閉塞する第１部材及び第２部材を有する開口閉塞部材とを備えた画像読取装置であって、
前記第１部材及び前記第２部材は、一部が厚み方向において互いに重なるように繋ぎ合わされており、
前記第１部材と前記第２部材との繋ぎ目の重なる部分において、前記第１部材及び前記第２部材のうち少なくとも一方に、厚み方向に延びた凸部が設けられており、
前記第１部材及び前記第２部材のうち少なくとも一方には、前記第１部材と前記第２部材との繋ぎ目部分の下方を覆う受け部が設けられていることを特徴とする画像読取装置。
【請求項４】
外部に開放する開口と、互いに繋ぎ合わされて少なくとも一方が前記開口を閉塞する第１部材及び第２部材を有する開口閉塞部材とを備えた画像読取装置であって、
前記第１部材及び前記第２部材は、一部が厚み方向において互いに重なるように繋ぎ合わされており、
前記第１部材と前記第２部材との繋ぎ目の重なる部分において、前記第１部材及び前記第２部材のうち少なくとも一方に、厚み方向に延びた凸部が設けられており、
前記凸部は、基端部から先端部に行くに従って幅が小さくなるように傾斜した傾斜面を有していることを特徴とする画像読取装置。
【請求項５】
外部に開放する開口と、互いに繋ぎ合わされて少なくとも一方が前記開口を閉塞する第１部材及び第２部材を有する開口閉塞部材とを備えた画像読取装置であって、
前記第１部材及び前記第２部材は、一部が厚み方向において互いに重なるように繋ぎ合わされており、
前記第１部材と前記第２部材との繋ぎ目の重なる部分において、前記第１部材及び前記第２部材のうち少なくとも一方に、厚み方向に延びた凸部が設けられており、
前記凸部は、先端部が平面又は湾曲面とされていることを特徴とする画像読取装置。
【請求項６】
請求項２から請求項５までの何れか１つに記載の画像読取装置であって、
互いに繋ぎ合わされた第１原稿ガイド及び第２原稿ガイドを有する原稿ガイド部材を備え、
前記開口閉塞部材は、前記原稿ガイド部材で構成され、前記第１部材は、前記第１原稿ガイドで構成され、前記第２部材は、前記第２原稿ガイドで構成されていることを特徴とする画像読取装置。
【請求項７】
請求項１又は請求項６に記載の画像読取装置であって、
原稿を載置した状態で読み取る原稿固定読取構成と、前記原稿を搬送しながら読み取る原稿移動読取構成とを備え、
前記第１原稿ガイドは、前記原稿固定読取構成において載置される前記原稿の位置を決める原稿位置決めガイドであり、
前記第２原稿ガイドは、前記原稿移動読取構成において搬送される前記原稿を案内する原稿搬送ガイドであることを特徴とする画像読取装置。
【請求項８】
請求項１から請求項７までの何れか１つに記載の画像読取装置であって、
前記凸部は、前記第１部材及び前記第２部材の繋ぎ目に沿った繋ぎ目方向における少なくとも画像読取領域に対応する領域の全体に亘って形成されている特徴とする画像読取装置。
【請求項９】
外部に開放する開口と、互いに繋ぎ合わされて少なくとも一方が前記開口を閉塞する第１部材及び第２部材を有する開口閉塞部材とを備えた画像読取装置であって、
前記第１部材及び前記第２部材は、一部が厚み方向において互いに重なるように繋ぎ合わされており、
前記第１部材と前記第２部材との繋ぎ目の重なる部分において、前記第１部材及び前記第２部材のうち少なくとも一方に、厚み方向に延びた凸部が設けられており、
前記開口が形成される筐体と、互いに繋ぎ合わされた第１カバー及び第２カバーを有するカバー部材とを備え、
前記開口閉塞部材は、前記カバー部材で構成され、前記第１部材は、前記第１カバーで構成され、前記第２部材は、前記第２カバーで構成されており、
前記第１カバー及び前記第２カバーが対向する方向である対向方向における前記第１カバーの前記第２カバーに対する移動を規制するように、前記第１カバー及び前記第２カバーのうち、何れか一方には前記凸部が設けられ、何れか他方には前記凸部に係合される凹部が設けられていることを特徴とする画像読取装置。
【請求項１０】
請求項９に記載の画像読取装置であって、
前記第１カバーは、前記筐体を覆い、前記第２カバーは、前記開口を閉塞することを特徴とする画像読取装置。
【請求項１１】
請求項９又は請求項１０に記載の画像読取装置であって、
前記凹部の頂部側の前記対向方向における前記開口側の角部には、面取り部が形成されていることを特徴とする画像読取装置。
【請求項１２】
請求項１から請求項１１までの何れか１つに記載の画像読取装置を備えたことを特徴とする画像形成装置。
【発明の詳細な説明】
【技術分野】
【０００１】
本発明は、原稿の画像を読み取る画像読取装置及びそれを備えた複写機、複合機、ファクシミリ装置等の画像形成装置に関する。
【背景技術】
【０００２】
原稿の画像を読み取る画像読取装置は、一般的に、外部に開放する開口と、開口を閉塞する開口閉塞部材（例えば原稿をガイドするための原稿ガイド部材や、開口を有する筐体を覆うカバー部材）とを備えている。
【０００３】
かかる画像読取装置においては、開口閉塞部材（例えば原稿ガイド部材やカバー部材）は、組み立て作業性やメンテナンス作業性の観点から、２つに分割されて互いに繋ぎ合わされて少なくとも一方が開口を閉塞する第１部材及び第２部材（例えば第１原稿ガイド及び第２原稿ガイドや第１カバー及び第２カバー）を有している場合がある。この場合、第１部材（例えば第１原稿ガイドや第１カバー）と第２部材（例えば第２原稿ガイドや第２カバー）との繋ぎ目部分から、埃等の異物（例えば搬送される原稿により集積した紙粉等の埃）が画像読取装置内に侵入し、画像読取装置における光学系に異物が付着することがある。そうすると、読み取った画像に筋等の画像不良の発生を招く。
【０００４】
この点に関し、特許文献１には、埃等の異物が画像読取装置内に侵入することを防止するために、透明板部材と支持部材との隙間を密閉するシール部材を備えた画像読取装置を開示している。
【先行技術文献】
【特許文献】
【０００５】
【特許文献１】特開２００３−２９５３５９号公報
【発明の概要】
【発明が解決しようとする課題】
【０００６】
しかしながら、特許文献１に記載の画像読取装置では、別途シール部材を設ける必要があり、それだけ組み立て作業性が悪化する。
【０００７】
そこで、本発明は、シール部材を別途設けることなく、従って、組み立て作業性を向上させつつ、第１部材と第２部材との繋ぎ目部分からの埃等の異物の当該画像読取装置内への侵入を効果的に防止することができる画像読取装置及びそれを備えた画像形成装置を提供することを目的とする。
【課題を解決するための手段】
【０００８】
本発明は、前記課題を解決するために、次の第１態様から第６態様の画像読取装置及び画像形成装置を提供する。
【０００９】
（１）第１態様の画像読取装置
本発明に係る第１態様の画像読取装置は、外部に開放する開口と、互いに繋ぎ合わされて少なくとも一方が前記開口を閉塞する第１部材及び第２部材を有する開口閉塞部材とを備えた画像読取装置であって、前記第１部材及び前記第２部材は、一部が厚み方向において互いに重なるように繋ぎ合わされており、前記第１部材と前記第２部材との繋ぎ目の重なる部分において、前記第１部材及び前記第２部材のうち少なくとも一方に、厚み方向に延びた凸部が設けられており、互いに繋ぎ合わされた第１原稿ガイド及び第２原稿ガイドを有する原稿ガイド部材を備え、前記開口閉塞部材は、前記原稿ガイド部材で構成され、前記第１部材は、前記第１原稿ガイドで構成され、前記第２部材は、前記第２原稿ガイドで構成されており、前記第１原稿ガイド及び前記第２原稿ガイドのうち、前記凸部が設けられていない側の原稿ガイドは、前記凸部に対向する部分が窪んだ窪み部を有していることを特徴とする。
（２）第２態様の画像読取装置
本発明に係る第２態様の画像読取装置は、外部に開放する開口と、互いに繋ぎ合わされて少なくとも一方が前記開口を閉塞する第１部材及び第２部材を有する開口閉塞部材とを備えた画像読取装置であって、前記第１部材及び前記第２部材は、一部が厚み方向において互いに重なるように繋ぎ合わされており、前記第１部材と前記第２部材との繋ぎ目の重なる部分において、前記第１部材及び前記第２部材のうち少なくとも一方に、厚み方向に延びた凸部が設けられており、前記第１部材と前記第２部材との繋ぎ目の重なる部分において、前記第１部材及び前記第２部材のうち少なくとも一方に、複数の前記凸部が設けられていることを特徴とする。
（３）第３態様の画像読取装置
本発明に係る第３態様の画像読取装置は、外部に開放する開口と、互いに繋ぎ合わされて少なくとも一方が前記開口を閉塞する第１部材及び第２部材を有する開口閉塞部材とを備えた画像読取装置であって、前記第１部材及び前記第２部材は、一部が厚み方向において互いに重なるように繋ぎ合わされており、前記第１部材と前記第２部材との繋ぎ目の重なる部分において、前記第１部材及び前記第２部材のうち少なくとも一方に、厚み方向に延びた凸部が設けられており、前記第１部材及び前記第２部材のうち少なくとも一方には、前記第１部材と前記第２部材との繋ぎ目部分の下方を覆う受け部が設けられていることを特徴とする。
【００１０】
（４）第４態様の画像読取装置
本発明に係る第４態様の画像読取装置は、外部に開放する開口と、互いに繋ぎ合わされて少なくとも一方が前記開口を閉塞する第１部材及び第２部材を有する開口閉塞部材とを備えた画像読取装置であって、前記第１部材及び前記第２部材は、一部が厚み方向において互いに重なるように繋ぎ合わされており、前記第１部材と前記第２部材との繋ぎ目の重なる部分において、前記第１部材及び前記第２部材のうち少なくとも一方に、厚み方向に延びた凸部が設けられており、前記凸部は、基端部から先端部に行くに従って幅が小さくなるように傾斜した傾斜面を有していることを特徴とする。
（５）第５態様の画像読取装置
本発明に係る第５態様の画像読取装置は、外部に開放する開口と、互いに繋ぎ合わされて少なくとも一方が前記開口を閉塞する第１部材及び第２部材を有する開口閉塞部材とを備えた画像読取装置であって、前記第１部材及び前記第２部材は、一部が厚み方向において互いに重なるように繋ぎ合わされており、前記第１部材と前記第２部材との繋ぎ目の重なる部分において、前記第１部材及び前記第２部材のうち少なくとも一方に、厚み方向に延びた凸部が設けられており、前記凸部は、先端部が平面又は湾曲面とされていることを特徴とする。
（６）第６態様の画像読取装置
本発明に係る第６態様の画像読取装置は、外部に開放する開口と、互いに繋ぎ合わされて少なくとも一方が前記開口を閉塞する第１部材及び第２部材を有する開口閉塞部材とを備えた画像読取装置であって、前記第１部材及び前記第２部材は、一部が厚み方向において互いに重なるように繋ぎ合わされており、前記第１部材と前記第２部材との繋ぎ目の重なる部分において、前記第１部材及び前記第２部材のうち少なくとも一方に、厚み方向に延びた凸部が設けられており、前記開口が形成される筐体と、互いに繋ぎ合わされた第１カバー及び第２カバーを有するカバー部材とを備え、前記開口閉塞部材は、前記カバー部材で構成され、前記第１部材は、前記第１カバーで構成され、前記第２部材は、前記第２カバーで構成されており、  前記第１カバー及び前記第２カバーが対向する方向である対向方向における前記第１カバーの前記第２カバーに対する移動を規制するように、前記第１カバー及び前記第２カバーのうち、何れか一方には前記凸部が設けられ、何れか他方には前記凸部に係合される凹部が設けられていることを特徴とする。
（７）画像形成装置
本発明に係る画像形成装置は、前記本発明に係る画像読取装置を備えたことを特徴とする。
【００１１】
本発明において、互いに繋ぎ合わされた第１原稿ガイド及び第２原稿ガイドを有する原稿ガイド部材を備え、前記開口閉塞部材は、前記原稿ガイド部材で構成され、前記第１部材は、前記第１原稿ガイドで構成され、前記第２部材は、前記第２原稿ガイドで構成されている態様を例示できる。
【００１２】
本発明において、原稿を載置した状態で読み取る原稿固定読取構成と、前記原稿を搬送しながら読み取る原稿移動読取構成とを備え、前記第１原稿ガイドは、前記原稿固定読取構成において載置される前記原稿の位置を決める原稿位置決めガイドであり、前記第２原稿ガイドは、前記原稿移動読取構成において搬送される前記原稿を案内する原稿搬送ガイドである態様を例示できる。
【００１３】
本発明において、前記凸部は、前記第１部材及び前記第２部材の繋ぎ目に沿った繋ぎ目方向における少なくとも前記開口に対応する（オーバーラップする）領域の全体に亘って形成されている態様を例示できる。
【００１９】
本発明において、前記第１カバーは、前記筐体を覆い、前記第２カバーは、前記開口を閉塞する態様を例示できる。
【００２１】
本発明において、前記凹部の頂部側の前記対向方向における前記開口側の角部には、面取り部が形成されている態様を例示できる。
【発明の効果】
【００２２】
本発明によると、シール部材を別途設けることなく、従って、組み立て作業性を向上させつつ、第１部材と第２部材との繋ぎ目部分からの埃等の異物の画像読取装置内への侵入を効果的に防止することが可能となる。
【図面の簡単な説明】
【００２３】
【図１】本発明の実施の形態に係る画像形成装置の概略構成を模式的に示す概略正面図である。
【図２】図１に示す画像読取装置の概略構成を模式的に示す概略正面図である。
【図３】図１及び図２に示す原稿読取装置の自動原稿搬送装置を取り外した状態を平面から視た概略平面図である。
【図４】第１実施形態に係る原稿読取装置における原稿ガイド部材の構成を説明するための説明図であって、原稿ガイド部材及びその周辺部分を示す概略断面図である。
【図５】図４に示す原稿ガイド部材部分を拡大して示す概略拡大断面図である。
【図６】第２実施形態に係る原稿読取装置における原稿ガイド部材の構成を説明するための説明図であって、原稿ガイド部材及びその周辺部分を示す概略断面図である。
【図７】図６に示す原稿ガイド部材部分を拡大して示す概略拡大断面図である。
【図８】第３実施形態に係る原稿読取装置における原稿ガイド部材の構成を説明するための説明図であって、原稿ガイド部材及びその周辺部分を示す概略断面図である。
【図９】図８に示す原稿ガイド部材部分を拡大して示す概略拡大断面図である。
【図１０】第４実施形態に係る原稿読取装置における原稿ガイド部材の構成を説明するための説明図であって、原稿ガイド部材及びその周辺部分を示す概略断面図である。
【図１１】図１０に示す原稿ガイド部材部分を拡大して示す概略拡大断面図である。
【図１２】第５実施形態に係る原稿読取装置における原稿ガイド部材の構成を説明するための説明図であって、原稿ガイド部材及びその周辺部分を示す概略断面図である。
【図１３】図１２に示す原稿ガイド部材部分を拡大して示す概略拡大断面図である。
【図１４】第６実施形態に係る原稿読取装置における原稿ガイド部材の構成を説明するための説明図であって、原稿ガイド部材における複数の凸部からなる凸部列を示す概略平面図である。
【図１５】第９実施形態に係る原稿読取装置における原稿ガイド部材の凸部の断面形状を示す概略断面図であって、（ａ）から（ｃ）は、傾斜面を有する凸部の断面形状の例を示す図である。
【図１６】第９実施形態に係る原稿読取装置における原稿ガイド部材の凸部の断面形状を示す概略断面図であって、（ａ）から（ｄ）は、傾斜面を有する凸部の断面形状の例を示す図である。
【図１７】第９実施形態に係る原稿読取装置における原稿ガイド部材の凸部の断面形状を示す概略断面図であって、（ａ）から（ｃ）は、先端部が平面又は湾曲面とされた凸部の断面形状の例を示す図である。
【図１８】第１０実施形態に係る原稿読取装置におけるカバー部材の構成を説明するための説明図であって、カバー部材及びその周辺部分を示す概略断面図である。
【図１９】図１８に示すカバー部材部分を拡大して示す概略拡大断面図である。
【図２０】図１８に示すカバー部材部分を正面側の右斜め上方から視た斜視図である。
【図２１】図２０において第２カバーを取り外した状態の正面側右端部分を拡大して示す斜視図である。
【図２２】参考例に係る原稿読取装置における開口閉塞部材部分を示す概略断面図である。
【発明を実施するための形態】
【００２４】
以下、本発明に係る実施の形態について図面を参照しながら説明する。
【００２５】
［画像形成装置］
図１は、本発明の実施の形態に係る画像形成装置１００の概略構成を模式的に示す概略正面図である。
【００２６】
図１に示すように、画像形成装置１００は、画像読取装置２００及び画像形成装置本体１１０を備えており、画像読取装置２００により読み取った画像データ、又は、外部機器から送られてきた画像データに基づいて画像形成装置本体１１０によりモノクロ画像又はカラー画像を記録用紙等の記録シートＰに画像形成する。
【００２７】
画像読取装置２００は、自動原稿搬送装置３００及び原稿読取装置４００を備え、自動原稿搬送装置３００で搬送される原稿Ｇ（シートの一例）を原稿読取装置４００で読み取るか、或いは、原稿載置台４１０に載置された原稿Ｇを原稿読取装置４００で読み取り、読み取った原稿Ｇの画像を画像データとして出力する。
【００２８】
画像形成装置１００は、電子写真方式の画像形成装置であり、複数の像担持体（具体的には感光体）を所定方向（この例では左右方向Ｙ）に並設した構成、所謂タンデム式のカラー画像形成装置とされている。この例では、画像形成装置１００は、フルカラー画像を形成できる中間転写方式のカラー複合機とされている。なお、本実施の形態では、画像形成装置１００を、タンデム式のカラー画像形成装置としたが、その他のカラー画像形成装置としてもよい。また、画像形成装置１００を、カラー画像形成装置としたが、モノクロ画像形成装置としてもよい。
【００２９】
画像形成装置本体１１０は、感光体１１（具体的には感光体ドラム）、除電装置１２、帯電装置として作用する帯電器１３、露光装置１４、現像装置１５、一次転写装置として作用する中間転写ベルト装置１６、ドラムクリーニング装置１７、２次転写装置１８、ベルトクリーニング装置１９、定着装置２０、搬送経路Ｒ１、給紙トレイ３１及び排紙トレイ３２を備えている。
【００３０】
画像形成装置本体１１０では、感光体１１の表面を帯電器１３により帯電し、その帯電域に画像露光して静電潜像を露光装置１４により形成し、この静電潜像を現像装置１５によりトナー像として可視像化（現像）し、該可視像化されたトナー像を中間転写ベルト装置１６に静電的に転写し、中間転写ベルト装置１６に転写されたトナー像を２次転写装置１８により記録シートＰに転写し、さらに、トナー像を転写した記録シートＰにトナー像を定着装置２０により定着させる。
【００３１】
カラー画像は、ブラック（Ｋ）、シアン（Ｃ）、マゼンタ（Ｍ）及びイエロー（Ｙ）の各色のトナー像が重ねられて形成される。このため、感光体１１、除電装置１２、帯電器１３、現像装置１５及びドラムクリーニング装置１７は、各色に応じた４種類のトナー像を形成するようにそれぞれ４つずつ設けられ、それぞれがブラック、シアン、マゼンタ及びイエローに対応付けられて、４つの画像形成ステーションＰａ，Ｐｂ，Ｐｃ，Ｐｄ（画像形成部）が構成されている。
【００３２】
各画像形成ステーションＰａ，Ｐｂ，Ｐｃ，Ｐｄの何れにおいても、以下に示す同様の動作がなされる。
【００３３】
すなわち、除電装置１２〜１２は、回転方向Ｂ（図１の例では時計方向）に回転駆動される感光体１１〜１１の表面に光を照射して感光体１１〜１１の表面における電荷（残留電荷）を除去（除電）する。
【００３４】
帯電器１３〜１３は、除電装置１２〜１２にて除電された感光体１１〜１１の表面を所定の電位に均一に帯電させる。
【００３５】
露光装置１４は、帯電器１３〜１３にて一様に帯電された感光体１１〜１１の表面を露光して感光体１１〜１１の表面に静電潜像を形成する。
【００３６】
現像装置１５〜１５は、露光装置１４にて形成された感光体１１〜１１の表面の静電潜像を現像して、感光体１１〜１１の表面にトナー像を形成する。
【００３７】
各画像形成ステーションＰａ，Ｐｂ，Ｐｃ，Ｐｄでは、かかる一連の動作によって、感光体１１〜１１の表面に各色のトナー像が形成される。
【００３８】
中間転写ベルト装置１６は、１次転写ローラ１６ａ及び中間転写ベルト１６ｂを備えている。１次転写ローラ１６ａは、各色に応じた４種類のトナー像を形成するようにそれぞれ４つずつ中間転写ベルト１６ｂの内側に設けられている。１次転写ローラ１６ａ〜１６ａは、感光体１１〜１１の表面に形成された各色のトナー像を矢印Ｃの方向へ周回移動する中間転写ベルト１６ｂに転写する。
【００３９】
ドラムクリーニング装置１７〜１７は、中間転写ベルト１６ｂに転写されずに残った感光体１１〜１１の表面における残留トナーを除去及び回収する。
【００４０】
２次転写装置１８は、２次転写ローラ１８ａを備えている。２次転写ローラ１８ａは、中間転写ベルト１６ｂとの間にニップ域を形成するように設けられている。２次転写ローラ１８ａは、搬送経路Ｒ１を通って搬送されてきた記録シートＰをニップ域に挟み込んで搬送し、ニップ域を通過する際に、中間転写ベルト１６ｂの表面に形成されたトナー像（例えばカラートナー像）を記録シートＰ上に転写する。
【００４１】
ベルトクリーニング装置１９は、記録シートＰに転写されずに中間転写ベルト１６ｂの表面に残った残留トナーを除去及び回収する。
【００４２】
定着装置２０は、加熱ローラ２１及び加圧ローラ２２を備え、加熱ローラ２１及び加圧ローラ２２の間にトナー像が転写された記録シートＰを挟み込んで加熱及び加圧し、トナー像を記録シートＰに定着させる。
【００４３】
給紙トレイ３１は、記録シートＰを積載するようになっている。給紙トレイ３１の記録シートＰの供給側には、ピックアップローラ３３が設けられている。ピックアップローラ３３は、記録シートＰを給紙トレイ３１から引き出して、搬送経路Ｒ１に搬送する。
【００４４】
搬送経路Ｒ１は、記録シートＰを２次転写装置１８や定着装置２０を経由して排出ローラ３６に搬送する。搬送経路Ｒ１の記録シートＰの排出側には、排出ローラ３６が設けられている。排出ローラ３６は、搬送経路Ｒ１で搬送されてきた記録シートＰを排紙トレイ３２に排出する。搬送経路Ｒ１には、レジストローラ３４及び各搬送ローラ３５〜３５が設けられている。レジストローラ３４は、記録シートＰを一端停止させて記録シートＰの先端を揃えた後、中間転写ベルト１６ｂと２次転写ローラ１８ａとの間のニップ域におけるトナー像の転写タイミングに合わせて記録シートＰを搬送する。各搬送ローラ３５〜３５は、記録シートＰの搬送を促すローラである。
【００４５】
また、搬送経路Ｒ１は、反転経路Ｒｒを備えている。画像形成装置本体１１０は、記録シートＰの表面だけでなく、裏面に画像形成を行う場合は、記録シートＰを排出ローラ３６から反転経路Ｒｒへ逆方向に搬送して、記録シートＰの表裏を反転させてレジストローラ３４へ再度導き、記録シートＰの表面と同様にして、記録シートＰの裏面にトナー像を定着させて排紙トレイ３２へ排出する。
【００４６】
なお、図１において、符号Ｘは、幅方向（奥行き方向）を示しており、符号Ｙは、幅方向Ｘに直交する左右方向Ｙを示しており、符号Ｚは、上下方向（高さ方向）を示している。また、以上説明した図１において、説明していない符号の部材については、後ほど説明する。
【００４７】
［画像読取装置の全体構成］
図２は、図１に示す画像読取装置２００の概略構成を模式的に示す概略正面図である。
【００４８】
図１及び図２に示す画像読取装置２００は、縮小光学系タイプの画像読取装置とされている。なお、画像読取装置２００は、等倍光学系タイプの画像読取装置であってもよい。
【００４９】
画像読取装置２００は、原稿固定方式により原稿Ｇを載置して原稿画像を読み取り、かつ、原稿移動方式により原稿Ｇを移動させて原稿画像を読み取るように構成されている。すなわち、画像読取装置２００は、原稿Ｇを載置した状態で読み取る原稿固定読取構成と、原稿Ｇを搬送しながら読み取る原稿移動読取構成とを備えている。
【００５０】
原稿固定読取構成では、原稿Ｇは原稿載置台４１０を構成する原稿台用透明体４１１（図２参照）上に載置される。原稿固定読取構成では、載置される原稿Ｇを照明装置として作用する光源ユニット４２０にて原稿台用透明体４１１を介して照明し、光源ユニット４２０を副走査方向（左右方向Ｙ）の一方側に移動させつつ光源ユニット４２０により照明された原稿Ｇからの反射光を副走査方向に直交する主走査方向（幅方向Ｘ）に走査して原稿画像を読み取る。
【００５１】
原稿移動読取構成では、原稿Ｇは自動原稿搬送装置３００で原稿載置台４１０を構成する原稿読取用透明体４１２（図２参照）上を通過するように予め定めた所定の搬送方向Ｙ１に搬送される。原稿移動読取構成では、搬送される原稿Ｇを、原稿読取装置４００において定位置Ｖ（図２参照）に位置する光源ユニット４２０にて原稿読取用透明体４１２を介して照明しつつ光源ユニット４２０により照明された原稿Ｇからの反射光を主走査方向（幅方向Ｘ）に走査して原稿画像を読み取る。
【００５２】
詳しくは、原稿読取装置４００は、原稿台用透明体４１１、原稿読取用透明体４１２及び光源ユニット４２０に加えて、光源ユニット４２０を移動させる光学系駆動部（図示せず）、ミラーユニット４３０、集光レンズ４４０及び光電変換素子４５０（ここではＣＣＤ）を備えており、これらの部材は筐体５１０（図２参照）内に収容されている。光源ユニット４２０は、図２に示すように、原稿Ｇへ向けて光を照射する光源４２１と、原稿Ｇからの反射光をミラーユニット４３０へ導く第１ミラー４２２とを有している。
【００５３】
原稿台用透明体４１１及び原稿読取用透明体４１２は、透明なガラス板からなり、主走査方向（幅方向Ｘ）の両端部が筐体５１０に載置されている。なお、自動原稿搬送装置３００は、副走査方向（左右方向Ｙ）に沿った軸線回りに（例えばヒンジによって軸支され）原稿読取装置４００に対して開閉可能となっており、その下面が原稿読取装置４００の原稿台用透明体４１１上に載置された原稿Ｇを上から押さえる原稿押さえ部材を兼ねている。
【００５４】
ミラーユニット４３０は、図２に示すように、第２ミラー４３１、第３ミラー４３２及び支持部材（図示せず）を備えている。ミラーユニット４３０における支持部材は、光源ユニット４２０における第１ミラー４２２からの光を反射して第３ミラー４３２に導くように第２ミラー４３１を支持している。また、ミラーユニット４３０における支持部材は、第２ミラー４３１からの光を反射して集光レンズ４４０に導くように第３ミラー４３２を支持している。集光レンズ４４０は、ミラーユニット４３０における第３ミラー４３２からの光を光電変換素子４５０の受光面４５１に集光するものである。光電変換素子４５０は、集光レンズ４４０からの光（原稿画像光）を電気信号に画像データとして電気信号に変換するものである。
【００５５】
また、原稿読取装置４００における光学系駆動部は、光源ユニット４２０を一定の速度で副走査方向（左右方向Ｙ）に移動させると共に、ミラーユニット４３０を光源ユニット４２０の移動速度の１／２の移動速度で同じく副走査方向（左右方向Ｙ）に移動させるように構成されている。
【００５６】
自動原稿搬送装置３００は、原稿Ｇを自動で搬送するものであり、原稿Ｇを搬送するために載置する原稿トレイ３０１と、原稿トレイ３０１の下方に配置される排出トレイ３０２と、これらの間を接続する第１搬送路３０３と、上流側搬送ローラ対３０４と、下流側搬送ローラ対３０５とを備えている。この例では、上流側搬送ローラ対３０４は、第１搬送路３０３に搬送される原稿Ｇを一旦停止して予め定めた所定のタイミングで原稿Ｇの搬送を再開する一対のレジストローラ３０４ａ，３０４ｂとされている。第１搬送路３０３は、一対の搬送ガイド３０３ａ，３０３ｂ（図２参照）により形成されている。
【００５７】
上流側搬送ローラ対３０４は、原稿Ｇの搬送方向Ｙ１において原稿読取用透明体４１２よりも上流側に設けられており、原稿Ｇを原稿読取用透明体４１２よりも上流側で搬送する。下流側搬送ローラ対３０５は、搬送方向Ｙ１において原稿読取用透明体４１２よりも下流側に設けられており、原稿Ｇを原稿読取用透明体４１２よりも下流側で搬送する。すなわち、上流側搬送ローラ対３０４、原稿読取用透明体４１２及び下流側搬送ローラ対３０５は、第１搬送路３０３においてこの順に配設されている。また、原稿読取用透明体４１２は、第１搬送路３０３のガイド壁の一部を構成するように略水平に設けられている。
【００５８】
自動原稿搬送装置３００は、さらに、ピックアップローラ３０６と、サバキローラ３０７と、分離ローラや分離パッド等の分離部材３０８（この例では分離パッド）とを備えている。
【００５９】
ピックアップローラ３０６は、原稿トレイ３０１上に載置された原稿Ｇを原稿トレイ３０１から搬送方向Ｙ１に沿って第１搬送路３０３内へ送り出すものである。サバキローラ３０７は、ピックアップローラ３０６より搬送方向Ｙ１の下流側に配置されており、ピックアップローラ３０６にて送られてきた原稿Ｇを分離部材３０８と共に挟持しつつさらに搬送方向Ｙ１の下流側へ搬送するものである。分離部材３０８は、サバキローラ３０７に対峙された状態でサバキローラ３０７との間に搬送される原稿Ｇが１枚になるように原稿Ｇを捌く（分離する）ようになっている。
【００６０】
かかる構成を備えた自動原稿搬送装置３００は、原稿Ｇをピックアップローラ３０６にてサバキローラ３０７と分離部材３０８との間に搬送し、ここで原稿Ｇを捌いて分離すると共にサバキローラ３０７が回転駆動されることによって１枚ずつ搬送する。そして、サバキローラ３０７にて搬送される原稿Ｇを第１搬送路３０３にて案内して上流側搬送ローラ対３０４に向けて１枚ずつ供給する。
【００６１】
詳しくは、ピックアップローラ３０６は、原稿トレイ３０１に積載された原稿Ｇに対して、ピックアップローラ駆動部（図示せず）にて接離可能とされている。また、ピックアップローラ３０６は、無端ベルト等を含む駆動伝達手段３０９（図２参照）を介してサバキローラ３０７と同方向に回転するようにサバキローラ３０７に連結されている。ピックアップローラ３０６及びサバキローラ３０７は、原稿Ｇの読み取り要求がなされると、原稿供給駆動部（図示せず）にて原稿Ｇを搬送方向Ｙ１に搬送させる回転方向Ｗ（図２参照）に回転駆動される。
【００６２】
この例では、自動原稿搬送装置３００は、原稿Ｇの一方の面（表面）を読み取り可能に搬送した後、原稿Ｇを表裏が逆転するように反転させて原稿Ｇの他方の面（裏面）を読み取り可能に搬送するように構成されている。
【００６３】
詳しくは、自動原稿搬送装置３００は、前記の構成に加えて、さらに、排出ローラ対３１０と、第２搬送路３１１と、分岐部材３１２とを備えている。
【００６４】
第１搬送路３０３は、原稿Ｇをサバキローラ３０７から上流側搬送ローラ対３０４、原稿読取用透明体４１２、下流側搬送ローラ対３０５及び排出ローラ対３１０を経て排出トレイ３０２へ搬送するようにループ状に形成されている。
【００６５】
排出ローラ対３１０は、搬送方向Ｙ１において下流側搬送ローラ対３０５よりも下流側に設けられている。排出ローラ対３１０は、下流側搬送ローラ対３０５から搬送されてきた原稿Ｇを排出トレイ３０２へ搬送することに加えて、下流側搬送ローラ対３０５から搬送されてきた原稿Ｇを後端（搬送方向Ｙ１における上流側端）が前になるように搬送方向Ｙ１とは反対の逆搬送方向Ｙ２（図２参照）搬送する。
【００６６】
第２搬送路３１１は、排出ローラ対３１０にて後端が前になるように搬送され、かつ、排出ローラ対３１０と下流側搬送ローラ対３０５との間の分岐部Ｓｄ（図２参照）から分岐された原稿Ｇを第１搬送路３０３の上流側搬送ローラ対３０４よりも搬送方向Ｙ１の上流側へ導くようになっている。第１搬送路３０３の排出ローラ対３１０と分岐部Ｓｄとの間には、シート排出搬送路３１３が形成されている。
【００６７】
シート排出搬送路３１３は、第１搬送路３０３から送られてきた原稿Ｇを排出トレイ３０２に向けて案内するようになっている。また、シート排出搬送路３１３は、排出ローラ対３１０の順方向の回転により搬送される原稿Ｇの順搬送路に加えて、排出ローラ対３１０の逆方向の回転により搬送される原稿Ｇの逆搬送路でもある。
【００６８】
分岐部材３１２は、原稿Ｇの搬送方向Ｙ１に直交又は略直交する原稿Ｇの幅方向Ｘに沿った回動軸線（具体的には揺動軸Ｑ（図２参照））回りに揺動自在とされている。
【００６９】
ここでは、分岐部材３１２は、通常状態では、下流側搬送ローラ対３０５と排出ローラ対３１０との間の第１搬送路３０３を閉塞する一方、シート排出搬送路３１３と第２搬送路３１１とを直結する形態で配設される（第１切換姿勢、図２中実線参照）。分岐部材３１２は、下流側搬送ローラ対３０５から原稿Ｇが搬送されると、原稿Ｇの先端（搬送方向Ｙ１における下流側端）が分岐部材３１２の爪部３１２ａを押し上げて原稿Ｇをシート排出搬送路３１３へ導く（第２切換姿勢、図２中破線参照）。分岐部材３１２は、原稿Ｇが通過すると、爪部３１２ａが自重で落下する。そして、分岐部材３１２は、原稿Ｇの後端がシート排出搬送路３１３内に位置し、シート排出搬送路３１３から原稿Ｇが逆搬送されると、原稿Ｇを第２搬送路３１１へ導く。
【００７０】
また、自動原稿搬送装置３００は、搬送される原稿Ｇを間にして、原稿読取用透明体４１２と対向する読取ガイド３１８をさらに備えている。
【００７１】
上流側搬送ローラ対３０４、下流側搬送ローラ対３０５、排出ローラ対３１０等の搬送系ローラは、図示しない搬送系の駆動部にて駆動される。
【００７２】
図３は、図１及び図２に示す原稿読取装置４００の自動原稿搬送装置３００を取り外した状態を平面から視た概略平面図である。
【００７３】
図３に示すように、原稿読取装置４００は、外部に開放する開口ＯＰ１，ＯＰ２と、開口ＯＰ１，ＯＰ２を閉塞する開口閉塞部材（具体的には原稿ガイド部材４６０及びカバー部材５２０）とを備えている。開口ＯＰ１，ＯＰ２は、画像読取装置２００（具体的には原稿読取装置４００）における光学系に連通している。開口ＯＰ１，ＯＰ２は、この例では、上方に開放しており、開口閉塞部材（具体的には原稿ガイド部材４６０及びカバー部材５２０）により閉塞されている。
【００７４】
詳しくは、原稿読取装置４００は、上方に開放した開口部ＯＰを有する筐体５１０を備えている。筐体５１０は、上面５１０ａにおいて外周縁部を残して中央部に長方形状の開口部ＯＰが設けられた直方体の箱形形状とされている。筐体５１０には、開口部ＯＰにおいて１又は複数（この例では２つ）の開口ＯＰ１，ＯＰ２が形成されている。具体的には、開口ＯＰ１は、筐体５１０の開口部ＯＰにおいて筐体５１０の上面５１０ａの幅方向Ｘにおける両側の縁部と原稿台用透明体４１１と原稿読取用透明体４１２とに囲まれた開口とされている。開口ＯＰ２は、筐体５１０の開口部ＯＰにおいて筐体５１０の上面５１０ａの幅方向Ｘにおける両側の縁部と左右方向Ｙにおける一端側（この例では原稿読取用透明体４１２側）の縁部と透明体（この例では原稿読取用透明体４１２）とに囲まれた開口とされている。
【００７５】
（原稿ガイド部材について）
原稿ガイド部材４６０（開口閉塞部材の一例）は、組み立て作業性やメンテナンス作業性の観点から、２つに分割されて互いに繋ぎ合わされた第１原稿ガイド４６１及び第２原稿ガイド４６２を有している。第１原稿ガイド４６１及び第２原稿ガイド４６２のうち少なくとも一方（この例では双方）が開口ＯＰ１を閉塞している。
【００７６】
詳しくは、原稿読取装置４００は、原稿ガイド部材４６０として、原稿固定読取構成において載置される原稿Ｇの位置を決める第１原稿ガイド４６１（この例では原稿位置決めガイド）と、原稿移動読取構成において読取位置よりも下流側を搬送される原稿Ｇを案内する第２原稿ガイド４６２（この例では原稿搬送ガイド）とをさらに備えている。第１原稿ガイド４６１及び第２原稿ガイド４６２は、水平又は略水平に設けられている。この例では、第１原稿ガイド４６１は、原稿固定読取構成において原稿台用透明体４１１に載置される原稿Ｇの副走査方向（左右方向Ｙ）における移動を規制して原稿Ｇの載置位置を決める。第２原稿ガイド４６２は、原稿移動読取構成において原稿読取装置４００により搬送される原稿Ｇを搬送方向Ｙ１において原稿読取用透明体４１２よりも下流側へ案内する。
【００７７】
具体的には、第１原稿ガイド４６１の上面には、指示プレート４６１１が設けられている。指示プレート４６１１には、原稿Ｇのサイズ及び位置を指示する指標（図示せず）が印刷されている。
【００７８】
第２原稿ガイド４６２は、搬送される原稿Ｇを読取位置から原稿Ｇの搬送方向Ｙ１における下流側に案内する搬送ガイド面４６２１を有している。
【００７９】
原稿ガイド部材４６０（第１原稿ガイド４６１及び第２原稿ガイド４６２）は、何れも所定の方向、具体的には主走査方向（幅方向Ｘ）に延びている。
【００８０】
なお、第１原稿ガイド４６１の左右方向Ｙおける寸法ｄ１は、ここでは、１４ｍｍ程度とされており、第２原稿ガイド４６２の左右方向Ｙにおける寸法ｄ２は、ここでは、７ｍｍ程度とされている。
【００８１】
（カバー部材について）
カバー部材５２０（開口閉塞部材の他の例）は、組み立て作業性やメンテナンス作業性の観点から、２つに分割されて互いに繋ぎ合わされた第１カバー５２１及び第２カバー５２２を有している。第１カバー５２１及び第２カバー５２２のうち少なくとも一方（この例では第２カバー５２２）が開口ＯＰ２を閉塞している。
【００８２】
詳しくは、原稿読取装置４００は、カバー部材５２０として、筐体５１０（この例では筐体５１０の上面５１０ａの左右方向Ｙにおける原稿読取用透明体４１２側の縁部）を覆う第１カバー５２１と、開口ＯＰ２を閉塞する第２カバー５２２とをさらに備えている。第２カバー５２２は、上方から原稿読取用透明体４１２の上面における原稿Ｇの搬送方向Ｙ１上流側端部を保持する。第１カバー５２１及び第２カバー５２２は、水平又は略水平に設けられている。
【００８３】
また、第２カバー５２２は、原稿移動読取構成において読取位置よりも上流側を搬送される原稿Ｇを案内する原稿ガイドを兼ねている。第２カバー５２２は、搬送される原稿Ｇを読取位置よりも上流側を搬送される原稿Ｇを案内する搬送ガイド面５２２１を有している。
【００８４】
カバー部材５２０（第１カバー５２１及び第２カバー５２２）は、何れも所定の方向、具体的には主走査方向（幅方向Ｘ）に延びている。
【００８５】
（参考例）
図２２は、参考例に係る原稿読取装置４００ａにおける開口閉塞部材部分を示す概略断面図である。
【００８６】
図２２に示すように、参考例に係る原稿読取装置４００ａでは、開口閉塞部材の一例の原稿ガイド部材４６０を構成する第１原稿ガイド４６１及び第２原稿ガイド４６２は、互いに対向する面が鉛直面４６１ａ，４６２ａとされており、それぞれの鉛直面４６１ａ，４６２ａが互いに対向するように繋ぎ合わされている。
【００８７】
このように、第１原稿ガイド４６１の鉛直面４６１ａ及び第２原稿ガイド４６２の鉛直面４６２ａが互いに対向するように繋ぎ合わされている原稿読取装置４００ａでは、第１原稿ガイド４６１と第２原稿ガイド４６２との繋ぎ目α１部分から、埃等の異物Ｈ（例えば搬送される原稿Ｇにより集積した紙粉等の埃）が画像読取装置２００（具体的には原稿読取装置４００ａ）内に侵入し、画像読取装置２００（具体的には原稿読取装置４００ａ）における光学系に異物Ｈが付着することがある。そうすると、読み取った画像に筋等の画像不良の発生を招く。
【００８８】
このことは、図２２に示すように、開口閉塞部材が原稿ガイド部材４６０で構成され、第１部材が第１原稿ガイド４６１で構成され、第２部材が第２原稿ガイド４６２で構成されている場合、より詳しくは、画像読取装置２００において、原稿Ｇを載置した状態で読み取る原稿固定読取構成と、原稿Ｇを搬送しながら読み取る原稿移動読取構成とを備え、第１原稿ガイド４６１が原稿固定読取構成において載置される原稿Ｇの位置を決める原稿位置決めガイドとされ、第２原稿ガイド４６２が原稿移動読取構成において搬送される原稿Ｇを案内する原稿搬送ガイドとされる場合に、特に顕著となる。
【００８９】
また、参考例に係る原稿読取装置４００ａでは、開口閉塞部材の他の例のカバー部材５２０を構成する第１カバー５２１及び第２カバー５２２は、互いに対向する面が鉛直面５２１ａ，５２２ａとされており、それぞれの鉛直面５２１ａ，５２２ａが互いに対向するように繋ぎ合わされている。
【００９０】
このように、第１カバー５２１の鉛直面５２１ａ及び第２カバー５２２の鉛直面５２２ａが互いに対向するように繋ぎ合わされている原稿読取装置４００ａでは、第１カバー５２１と第２カバー５２２との繋ぎ目α２部分から、埃等の異物Ｈ（例えば搬送される原稿Ｇにより集積した紙粉等の埃）が画像読取装置２００（具体的には原稿読取装置４００ａ）内に侵入し、画像読取装置２００（具体的には原稿読取装置４００ａ）における光学系に異物Ｈが付着することがある。そうすると、読み取った画像に筋等の画像不良の発生を招く。
【００９１】
このことは、図２２に示すように、開口閉塞部材がカバー部材５２０で構成され、第１部材が第１カバー５２１で構成され、第２部材が第２カバー５２２で構成されている場合、より詳しくは、第１カバー５２１が筐体５１０を覆い、第２カバー５２２が開口ＯＰ２を閉塞する場合に、特に顕著となる。
【００９２】
（本実施の形態）
この点に関し、本実施の形態では、第１部材（この例では第１原稿ガイド４６１、第１カバー５２１）及び第２部材（この例では第２原稿ガイド４６２、第２カバー５２２）は、一部が厚み方向において互いに重なるように繋ぎ合わされている。ここで、厚み方向は、第１部材（この例では第１原稿ガイド４６１、第１カバー５２１）及び第２部材（この例では第２原稿ガイド４６２、第２カバー５２２）の繋ぎ目（この例ではα１，α２）に沿った繋ぎ目方向（具体的には開口閉塞部材の長手方向）及び第１部材及び第２部材が対向する対向方向の双方に直交又は略直交する方向である。この例では、厚み方向は、上下方向Ｚ又は略上下方向Ｚとされている。
【００９３】
詳しくは、原稿ガイド部材４６０を構成する第１原稿ガイド４６１及び第２原稿ガイド４６２は、一部（具体的には左右方向Ｙの一端部）が上下方向Ｚにおいて互いに重なるように繋ぎ合わされている（図４から図１３参照）。
【００９４】
この例では、第１原稿ガイド４６１及び第２原稿ガイド４６２は、第１原稿ガイド４６１における第２原稿ガイド４６２側の部分が第２原稿ガイド４６２よりも下に、第２原稿ガイド４６２における第１原稿ガイド４６１側の部分が第１原稿ガイド４６１よりも上になるように繋ぎ合わされている。なお、第１原稿ガイド４６１及び第２原稿ガイド４６２は、第１原稿ガイド４６１における第２原稿ガイド４６２側の部分が第２原稿ガイド４６２よりも上に、第２原稿ガイド４６２における第１原稿ガイド４６１側の部分が第１原稿ガイド４６１よりも下になるように繋ぎ合わされていてもよい。
【００９５】
そして、第１原稿ガイド４６１と第２原稿ガイド４６２との繋ぎ目α１の重なる部分において、第１原稿ガイド４６１及び第２原稿ガイド４６２のうち少なくとも一方に、上下方向Ｚに延びた凸部４７０が設けられている。なお、図１及び図２に示す凸部４７０は、後述する第１実施形態（図４及び図５参照）に対応した構成とされている。
【００９６】
また、カバー部材５２０を構成する第１カバー５２１及び第２カバー５２２は、一部（具体的には左右方向Ｙの一端部）が上下方向Ｚにおいて互いに重なるように繋ぎ合わされている（図１８及び図１９参照）。
【００９７】
この例では、第１カバー５２１及び第２カバー５２２は、第１カバー５２１における第２カバー５２２側の部分が第２カバー５２２よりも下に、第２カバー５２２における第１カバー５２１側の部分が第１カバー５２１よりも上になるように繋ぎ合わされている。なお、第１カバー５２１及び第２カバー５２２は、第１カバー５２１における第２カバー５２２側の部分が第２カバー５２２よりも上に、第２カバー５２２における第１カバー５２１側の部分が第１カバー５２１よりも下になるように繋ぎ合わされていてもよい。
【００９８】
そして、第１カバー５２１と第２カバー５２２との繋ぎ目α２の重なる部分において、第１カバー５２１及び第２カバー５２２のうち少なくとも一方に、上下方向Ｚに延びた凸部５３０が設けられている。
【００９９】
（第１実施形態）
図４は、第１実施形態に係る原稿読取装置４００における原稿ガイド部材４６０の構成を説明するための説明図であって、原稿ガイド部材４６０及びその周辺部分を示す概略断面図である。図５は、図４に示す原稿ガイド部材４６０部分を拡大して示す概略拡大断面図である。
【０１００】
第１実施形態では、図４及び図５に示すように、凸部４７０は、第１原稿ガイド４６１において上方へ立設した単一の凸部（この例では断面視で六角形状又は略六角形状の凸部）とされている。なお、第１原稿ガイド４６１及び第２原稿ガイド４６２は、第１原稿ガイド４６１が上に第２原稿ガイド４６２が下になるように繋ぎ合わされている場合、凸部４７０は、第２原稿ガイド４６２において上方へ立設する。このことは、後述する第３実施形態及び第５実施形態から第８実施形態についても同様である。
【０１０１】
この例では、凸部４７０は、繋ぎ目方向（具体的には原稿ガイド部材４６０の長手方向、幅方向Ｘ）における少なくとも開口ＯＰ１（具体的には画像読取領域を含む領域）に対応する領域β（図３参照）の全体（例えば第１原稿ガイド４６１の繋ぎ目方向における全域）に亘って連続的に形成されている。すなわち、凸部４７０は、繋ぎ目方向（具体的には幅方向Ｘ）に延びた凸条部とされている。ここで、繋ぎ目方向は、第１原稿ガイド４６１及び第２原稿ガイド４６２の繋ぎ目α１に沿った方向であり、第１原稿ガイド４６１及び第２原稿ガイド４６２が対向する方向である対向方向（具体的には左右方向Ｙ）及び上下方向Ｚの双方に直交する方向である。また、画像読取領域は、主走査方向（幅方向Ｘ）において原稿Ｇの画像を読み取るための領域である。また、開口に対応する領域とは、開口にオーバーラップする領域である。このことは、後述する第２実施形態から第１０実施形態についても同様である。
【０１０２】
詳しくは、第１原稿ガイド４６１及び第２原稿ガイド４６２は、凸部４７０と、第１原稿ガイド４６１及び第２原稿ガイド４６２のうちの凸部４７０が設けられる側とは反対側の原稿ガイド（この例では第２原稿ガイド４６２）とが接触するように配設されている。より詳しくは、凸部４７０と、第１原稿ガイド４６１及び第２原稿ガイド４６２のうちの凸部４７０が設けられる側とは反対側の原稿ガイド（この例では第２原稿ガイド４６２）との間が上下方向Ｚ及び／又は対向方向（具体的には左右方向Ｙ）で繋ぎ目方向（具体的には幅方向Ｘ）に沿って密着している。
【０１０３】
具体的には、第１原稿ガイド４６１の第２原稿ガイド４６２側の端部は、下方に延設した第１延設部４６１３（図５参照）と、第１延設部４６１３の下端部から左右方向Ｙにおける第２原稿ガイド４６２側に延設した第２延設部４６１４（図５参照）とを有している。
【０１０４】
そして、凸部４７０は、第１原稿ガイド４６１の上面４６１ｂにおいて第１延設部４６１３の第２原稿ガイド４６２側の端部に設けられている。凸部４７０は、第１原稿ガイド４６１における第１延設部４６１３と上面４６１ｂで一体的に形成されている。
【０１０５】
また、第２原稿ガイド４６２は、第１原稿ガイド４６１における凸部４７０に対向する部分が窪んだ窪み部４６２ｂ（図５参照）を有している。窪み部４６２ｂは、第１面４６２ｂ１と、第２面４６２ｂ２とを有している。第１面４６２ｂ１は、凸部４７０の先端部（頂面）と密着する。第２面４６２ｂ２は、凸部４７０又は凸部４７０を含む第１延設部４６１３の第２原稿ガイド４６２側の側面４６１ｃ（図５参照）に密着する。
【０１０６】
凸部４７０の先端部（頂面）、及び、第２原稿ガイド４６２における第１面４６２ｂ１は、水平面又は略水平面とされている。
【０１０７】
凸部４７０又は凸部４７０を含む第１延設部４６１３の第２原稿ガイド４６２側の側面４６１ｃ、及び、第２原稿ガイド４６２における第２面４６２ｂ２は、繋ぎ目方向（具体的には幅方向Ｘ）に沿った鉛直面又は略鉛直面とされている。
【０１０８】
なお、凸部４７０と、第１原稿ガイド４６１及び第２原稿ガイド４６２のうちの凸部４７０が設けられる側とは反対側の原稿ガイド（この例では第２原稿ガイド４６２）との間に上下方向Ｚ及び／又は対向方向（具体的には左右方向Ｙ）で繋ぎ目方向（具体的には幅方向Ｘ）に沿って隙間が設けられていてもよい。
【０１０９】
図４及び図５において、受け部４８０等については後ほど説明する。
【０１１０】
（第２実施形態）
図６は、第２実施形態に係る原稿読取装置４００における原稿ガイド部材４６０の構成を説明するための説明図であって、原稿ガイド部材４６０及びその周辺部分を示す概略断面図である。図７は、図６に示す原稿ガイド部材４６０部分を拡大して示す概略拡大断面図である。
【０１１１】
第２実施形態では、図６及び図７に示すように、凸部４７０は、第２原稿ガイド４６２において下方へ立設した単一の凸部（この例では断面視で四角形状又は略四角形状の凸部）とされている。なお、第１原稿ガイド４６１及び第２原稿ガイド４６２は、第１原稿ガイド４６１が上に第２原稿ガイド４６２が下になるように繋ぎ合わされている場合、凸部４７０は、第１原稿ガイド４６１において下方へ立設する。このことは、後述する第４実施形態から第８実施形態についても同様である。
【０１１２】
この例では、凸部４７０は、第１実施形態と同様、繋ぎ目方向（具体的には原稿ガイド部材４６０の長手方向、幅方向Ｘ）における少なくとも開口ＯＰ１（具体的には画像読取領域を含む領域）に対応する領域β（図３参照）の全体（例えば第２原稿ガイド４６２の繋ぎ目方向における全域）に亘って連続的に形成されている。すなわち、凸部４７０は、繋ぎ目方向（具体的には幅方向Ｘ）に延びた凸条部とされている。
【０１１３】
詳しくは、第１原稿ガイド４６１及び第２原稿ガイド４６２は、凸部４７０と、第１原稿ガイド４６１及び第２原稿ガイド４６２のうちの凸部４７０が設けられる側とは反対側の原稿ガイド（この例では第１原稿ガイド４６１）とが接触するように配設されている。より詳しくは、凸部４７０と、第１原稿ガイド４６１及び第２原稿ガイド４６２のうちの凸部４７０が設けられる側とは反対側の原稿ガイド（この例では第１原稿ガイド４６１）との間が上下方向Ｚ及び／又は対向方向（具体的には左右方向Ｙ）で繋ぎ目方向（具体的には幅方向Ｘ）に沿って密着している。
【０１１４】
具体的には、凸部４７０は、第２原稿ガイド４６２の下面４６２ｃ（図７参照）の第１原稿ガイド４６１側の端部に設けられている。凸部４７０は、第２原稿ガイド４６２と下面４６２ｃで一体的に形成されている。
【０１１５】
また、第１原稿ガイド４６１は、第２原稿ガイド４６２における凸部４７０に対向する部分が窪んだ窪み部４６１ｄ（図７参照）を有している。窪み部４６１ｄは、第１面４６１ｄ１と、第２面４６１ｄ２とを有している。第１面４６１ｄ１は、凸部４７０の先端部（頂面）と密着する。第２面４６１ｄ２は、凸部４７０又は凸部４７０を含む第２原稿ガイド４６２の第１原稿ガイド４６１側の側面４６２ｅ（図７参照）に密着する。
【０１１６】
凸部４７０の先端部（頂面）、及び、第１原稿ガイド４６１における第１面４６１ｄ１は、水平面又は略水平面とされている。
【０１１７】
凸部４７０又は凸部４７０を含む第２原稿ガイド４６２の第１原稿ガイド４６１側の側面４６２ｅ、及び、第１原稿ガイド４６１における第２面４６１ｄ２は、繋ぎ目方向（具体的には幅方向Ｘ）に沿った鉛直面又は略鉛直面とされている。
【０１１８】
なお、凸部４７０と、第１原稿ガイド４６１及び第２原稿ガイド４６２のうちの凸部４７０が設けられる側とは反対側の原稿ガイド（この例では第１原稿ガイド４６１）との間に上下方向Ｚ及び／又は対向方向（具体的には左右方向Ｙ）で繋ぎ目方向（具体的には幅方向Ｘ）に沿って隙間が設けられていてもよい。
【０１１９】
図６及び図７において、受け部４８０等については後ほど説明する。
【０１２０】
（第３実施形態から第８実施形態）
第３実施形態から第８実施形態では、図８から図１３に示すように、第１原稿ガイド４６１と第２原稿ガイド４６２との繋ぎ目α１の重なる部分において、第１原稿ガイド４６１及び第２原稿ガイド４６２のうち少なくとも一方に、複数の凸部４７０〜４７０が設けられている。
【０１２１】
（第３実施形態）
図８は、第３実施形態に係る原稿読取装置４００における原稿ガイド部材４６０の構成を説明するための説明図であって、原稿ガイド部材４６０及びその周辺部分を示す概略断面図である。図９は、図８に示す原稿ガイド部材４６０部分を拡大して示す概略拡大断面図である。
【０１２２】
なお、図８及び図９に示す第３実施形態において、図４及び図５に示す第１実施形態と実質的に同じ構成には同一符号を付し、その説明を省略する。
【０１２３】
第３実施形態では、図８及び図９に示すように、凸部４７０は、対向方向（具体的には左右方向Ｙ）に並設された複数（この例では２つ）の凸部４７０，４７０とされ、複数の凸部４７０，４７０の何れも第１原稿ガイド４６１において上方へ立設している。
【０１２４】
この例では、対向方向（具体的には左右方向Ｙ）に並設された複数の凸部４７０，４７０は、繋ぎ目方向（具体的には幅方向Ｘ）における少なくとも開口ＯＰ１（具体的には画像読取領域を含む領域）に対応する領域β（図３参照）の全体に連続的に形成されている。すなわち、複数の凸部４７０，４７０は、繋ぎ目方向（具体的には幅方向Ｘ）に延びた凸条部とされている。
【０１２５】
詳しくは、第１原稿ガイド４６１及び第２原稿ガイド４６２は、複数の凸部４７０，４７０と、第１原稿ガイド４６１及び第２原稿ガイド４６２のうちの複数の凸部４７０，４７０が設けられる側とは反対側の原稿ガイド（この例では第２原稿ガイド４６２）とが接触するように配設されている。より詳しくは、複数の凸部４７０，４７０と、第１原稿ガイド４６１及び第２原稿ガイド４６２のうちの複数の凸部４７０，４７０が設けられる側とは反対側の原稿ガイド（この例では第２原稿ガイド４６２）との間が上下方向Ｚ及び／又は対向方向（具体的には左右方向Ｙ）で繋ぎ目方向（具体的には幅方向Ｘ）に沿って密着している。
【０１２６】
具体的には、第１原稿ガイド４６１における複数の凸部４７０，４７０は、対向方向（具体的には左右方向Ｙ）における異物Ｈが侵入する方向である異物侵入方向Ｅ（この例では第１原稿ガイド４６１側から第２原稿ガイド４６２側に向かう方向）（図９参照）において順に設けられている。ここで、第１原稿ガイド４６１及び第２原稿ガイド４６２は、第１原稿ガイド４６１が上に第２原稿ガイド４６２が下になるように繋ぎ合わされている場合、異物侵入方向Ｅは、第２原稿ガイド４６２側から第１原稿ガイド４６１側に向かう方向となる。
【０１２７】
複数の凸部４７０，４７０のうち、一の凸部４７０は、第１原稿ガイド４６１の上面４６１ｂにおいて第１延設部４６１３の第２原稿ガイド４６２側の端部に設けられている。複数の凸部４７０，４７０のうち、他の凸部４７０は、第２延設部４６１４の上面４６１ｅに設けられている。複数の凸部４７０，４７０は、第１原稿ガイド４６１における第１延設部４６１３と上面４６１ｂで一体的に形成され、かつ、第１原稿ガイド４６１における第２延設部４６１４と上面４６１ｅで一体的に形成されている。
【０１２８】
また、第２原稿ガイド４６２は、第１原稿ガイド４６１における一の凸部４７０に対向する部分が窪んだ窪み部４６２ｂを有している。第１面４６２ｂ１は、一の凸部４７０の先端部（頂面）と密着する。第２面４６２ｂ２は、一の凸部４７０又は一の凸部４７０を含む第１延設部４６１３の第２原稿ガイド４６２側の側面４６１ｃ（図９参照）に密着する。
【０１２９】
第２原稿ガイド４６２の下面４６２ｃは、対向方向（具体的には左右方向Ｙ）において第１原稿ガイド４６１側が上に第１原稿ガイド４６１とは反対側が下になるように傾斜し、第１原稿ガイド４６１における他の凸部４７０の先端部（頂部）と密着する。
【０１３０】
なお、複数の凸部４７０，４７０と、第１原稿ガイド４６１及び第２原稿ガイド４６２のうちの複数の凸部４７０，４７０が設けられる側とは反対側の原稿ガイド（この例では第２原稿ガイド４６２）との間に上下方向Ｚ及び／又は対向方向（具体的には左右方向Ｙ）で繋ぎ目方向（具体的には幅方向Ｘ）に沿って隙間が設けられていてもよい。
【０１３１】
図８及び図９において、受け部４８０等については後ほど説明する。
【０１３２】
（第４実施形態）
図１０は、第４実施形態に係る原稿読取装置４００における原稿ガイド部材４６０の構成を説明するための説明図であって、原稿ガイド部材４６０及びその周辺部分を示す概略断面図である。図１１は、図１０に示す原稿ガイド部材４６０部分を拡大して示す概略拡大断面図である。
【０１３３】
なお、図１０及び図１１に示す第４実施形態において、図６及び図７に示す第２実施形態と実質的に同じ構成には同一符号を付し、その説明を省略する。
【０１３４】
第４実施形態では、図１０及び図１１に示すように、凸部４７０は、対向方向（具体的には左右方向Ｙ）に並設された複数（この例では２つ）の凸部４７０，４７０とされ、複数の凸部４７０，４７０の何れも第２原稿ガイド４６２において下方へ立設している。
【０１３５】
この例では、第３実施形態と同様、対向方向（具体的には左右方向Ｙ）に並設された複数の凸部４７０，４７０は、繋ぎ目方向（具体的には幅方向Ｘ）における少なくとも開口ＯＰ１（具体的には画像読取領域を含む領域）に対応する領域β（図３参照）の全体に連続的に形成されている。すなわち、複数の凸部４７０，４７０は、繋ぎ目方向（具体的には幅方向Ｘ）に延びた凸条部とされている。
【０１３６】
詳しくは、第１原稿ガイド４６１及び第２原稿ガイド４６２は、複数の凸部４７０，４７０と、第１原稿ガイド４６１及び第２原稿ガイド４６２のうちの複数の凸部４７０，４７０が設けられる側とは反対側の原稿ガイド（この例では第１原稿ガイド４６１）とが接触するように配設されている。より詳しくは、複数の凸部４７０，４７０と、第１原稿ガイド４６１及び第２原稿ガイド４６２のうちの複数の凸部４７０，４７０が設けられる側とは反対側の原稿ガイド（この例では第１原稿ガイド４６１）との間が上下方向Ｚ及び／又は対向方向（具体的には左右方向Ｙ）で繋ぎ目方向（具体的には幅方向Ｘ）に沿って密着している。
【０１３７】
具体的には、第２原稿ガイド４６２における複数の凸部４７０，４７０は、異物侵入方向Ｅ（具体的には第１原稿ガイド４６１側から第２原稿ガイド４６２側に向かう方向）（図１１参照）において順に設けられている。
【０１３８】
複数の凸部４７０，４７０のうち、一の凸部４７０は、第２原稿ガイド４６２の下面４６２ｃの第１原稿ガイド４６１側の端部に設けられている。複数の凸部４７０，４７０のうち、他の凸部４７０は、第２原稿ガイド４６２の下面４６２ｃにおいて一の凸部４７０に対して所定の間隔をおいて設けられている。複数の凸部４７０，４７０は、第２原稿ガイド４６２と下面４６２ｃで一体的に形成されている。
【０１３９】
また、第１原稿ガイド４６１は、第２原稿ガイド４６２における複数の凸部４７０，４７０に対向する部分が窪んだ窪み部４６１ｄ，４６１ｆ（図１１参照）を有している。窪み部４６１ｄ，４６１ｆは、それぞれ、第１面４６１ｄ１，４６１ｆ１と、第２面４６１ｄ２，４６１ｆ２とを有している。第１面４６１ｄ１，４６１ｆ１は、複数の凸部４７０，４７０の先端部（頂面）と密着する。第２面４６１ｄ２，４６１ｆ２は、複数の凸部４７０，４７０又は複数の凸部４７０，４７０を含む第２原稿ガイド４６２の第１原稿ガイド４６１側の側面４６２ｅ，４６２ｆ（図１１参照）に密着する。
【０１４０】
複数の凸部４７０，４７０の先端部（頂面）、及び、第１原稿ガイド４６１における第１面４６１ｄ１，４６１ｆ１は、水平面又は略水平面とされている。
【０１４１】
複数の凸部４７０，４７０又は複数の凸部４７０，４７０を含む第２原稿ガイド４６２の第１原稿ガイド４６１側の側面４６２ｅ，４６２ｆ、及び、第１原稿ガイド４６１における第２面４６１ｄ２，４６１ｆ２は、繋ぎ目方向（具体的には幅方向Ｘ）に沿った鉛直面又は略鉛直面とされている。
【０１４２】
なお、複数の凸部４７０，４７０と、第１原稿ガイド４６１及び第２原稿ガイド４６２のうちの複数の凸部４７０，４７０が設けられる側とは反対側の原稿ガイド（この例では第１原稿ガイド４６１）との間に上下方向Ｚ及び／又は対向方向（具体的には左右方向Ｙ）で繋ぎ目方向（具体的には幅方向Ｘ）に沿って隙間が設けられていてもよい。
【０１４３】
図１０及び図１１において、受け部４８０等については後ほど説明する。
【０１４４】
（第５実施形態）
図１２は、第５実施形態に係る原稿読取装置４００における原稿ガイド部材４６０の構成を説明するための説明図であって、原稿ガイド部材４６０及びその周辺部分を示す概略断面図である。図１３は、図１２に示す原稿ガイド部材４６０部分を拡大して示す概略拡大断面図である。
【０１４５】
なお、図１２及び図１３に示す第５実施形態において、図４及び図５に示す第１実施形態並びに図６及び図７に示す第２実施形態と実質的に同じ構成には同一符号を付し、その説明を省略する。
【０１４６】
第５実施形態では、図１２及び図１３に示すように、凸部４７０は、対向方向（具体的には左右方向Ｙ）に並設された複数（この例では３つ）の凸部４７０〜４７０とされ、複数の凸部４７０〜４７０のうち、少なくとも１つ（この例では２つ）の凸部４７０，４７０が第１原稿ガイド４６１において上方へ立設し、少なくとも１つ（この例では１つ）の凸部４７０が第２原稿ガイド４６２において下方へ立設している。
【０１４７】
この例では、第３実施形態及び第４実施形態と同様、対向方向（具体的には左右方向Ｙ）に並設された複数の凸部４７０〜４７０は、繋ぎ目方向（具体的には幅方向Ｘ）における少なくとも開口ＯＰ１（具体的には画像読取領域を含む領域）に対応する領域β（図３参照）の全体に連続的に形成されている。すなわち、複数の凸部４７０〜４７０は、繋ぎ目方向（具体的には幅方向Ｘ）に延びた凸条部とされている。
【０１４８】
詳しくは、第１原稿ガイド４６１及び第２原稿ガイド４６２は、凸部４７０と、第１原稿ガイド４６１及び第２原稿ガイド４６２のうちの凸部４７０が設けられる側とは反対側の原稿ガイド（この例では第１原稿ガイド４６１及び第２原稿ガイド４６２）とが接触するように配設されている。より詳しくは、凸部４７０と、第１原稿ガイド４６１及び第２原稿ガイド４６２のうちの凸部４７０が設けられる側とは反対側の原稿ガイド（この例では第１原稿ガイド４６１及び第２原稿ガイド４６２）との間が上下方向Ｚ及び／又は対向方向（具体的には左右方向Ｙ）で繋ぎ目方向（具体的には幅方向Ｘ）に沿って密着している。
【０１４９】
具体的には、第２延設部４６１４の上面４６１ｅは、第２原稿ガイド４６２における凸部４７０の先端部（頂面）と密着する。第２原稿ガイド４６２における凸部４７０は、第２原稿ガイド４６２と下面４６２ｃで一体的に形成されている。
【０１５０】
第１原稿ガイド４６１における複数の凸部４７０，４７０は、異物侵入方向Ｅ（この例では第１原稿ガイド４６１側から第２原稿ガイド４６２側に向かう方向）（図１３参照）において第２原稿ガイド４６２における凸部４７０を間に上流側及び下流側に位置している。第１原稿ガイド４６１における複数の凸部４７０，４７０は、第１原稿ガイド４６１における第１延設部４６１３と上面４６１ｂで一体的に形成され、かつ、第１原稿ガイド４６１における第２延設部４６１４と上面４６１ｅで一体的に形成されている。
【０１５１】
また、第２原稿ガイド４６２における第１面４６２ｂ１は、第１原稿ガイド４６１における一の凸部４７０の先端部（頂面）と密着する。第２原稿ガイド４６２における第２面４６２ｂ２は、第１原稿ガイド４６１における一の凸部４７０又は一の凸部４７０を含む第１延設部４６１３の第２原稿ガイド４６２側の側面４６１ｃ（図１３参照）に密着する。
【０１５２】
第２原稿ガイド４６２の下面４６２ｃは、対向方向（具体的には左右方向Ｙ）において第１原稿ガイド４６１側が上に第１原稿ガイド４６１とは反対側が下になるように傾斜し、第１原稿ガイド４６１における他の凸部４７０の先端部（頂部）と密着する。
【０１５３】
さらに、第１原稿ガイド４６１における凸部４７０と第２原稿ガイド４６２における一の凸部４７０及び他の凸部４７０とが対向方向（具体的には左右方向Ｙ）において互いに密着する。
【０１５４】
なお、凸部４７０と、第１原稿ガイド４６１及び第２原稿ガイド４６２のうちの凸部４７０が設けられる側とは反対側の原稿ガイド（この例では第１原稿ガイド４６１及び第２原稿ガイド４６２）との間に上下方向Ｚ及び／又は対向方向（具体的には左右方向Ｙ）で繋ぎ目方向（具体的には幅方向Ｘ）に沿って隙間が設けられていてもよい。
【０１５５】
図１２及び図１３において、受け部４８０等については後ほど説明する。
【０１５６】
（第６実施形態）
図１４は、第６実施形態に係る原稿読取装置４００における原稿ガイド部材４６０の構成を説明するための説明図であって、原稿ガイド部材４６０における複数の凸部４７０〜４７０からなる凸部列４７０Ａを示す概略平面図である。
【０１５７】
第６実施形態では、図１４に示すように、凸部４７０は、繋ぎ目方向（具体的には幅方向Ｘ）における少なくとも開口ＯＰ１（具体的には画像読取領域を含む領域）に対応する領域β（図３参照）の全体に部分的に（断続的に）形成された複数の凸部４７０〜４７０からなる凸部列４７０Ａが対向方向（具体的には左右方向Ｙ）に複数（この例では２列）列設されている。
【０１５８】
この例では、複数列（この例では２列）の凸部列４７０Ａ，４７０Ａは、隣り合う凸部列４７０Ａ，４７０Ａ間で繋ぎ目方向（具体的には幅方向Ｘ）における隣り合う凸部４７０，４７０間の間隔４７０ａを閉じるように並設されている。
【０１５９】
詳しくは、凸部列４７０Ａを構成する複数の凸部４７０〜４７０は、繋ぎ目方向（具体的には幅方向Ｘ）に延びており、繋ぎ目方向（具体的には幅方向Ｘ）に沿って所定の間隔４７０ａをおいて並設されている。複数の凸部４７０〜４７０は、繋ぎ目方向（具体的には幅方向Ｘ）の寸法ｄ３が間隔４７０ａの寸法ｄ４よりも大きくなっている。なお、各凸部列４７０Ａ〜４７０Ａにおいて、繋ぎ目方向（具体的には幅方向Ｘ）の寸法ｄ３が等しくなっていてもよいし、少なくとも１つが異なっていてもよい。また、各凸部列４７０Ａ〜４７０Ａにおいて、間隔４７０ａの寸法ｄ４が等しくなっていてもよいし、少なくとも１つが異なっていてもよい。
【０１６０】
凸部列４７０Ａを構成する複数の凸部４７０〜４７０は、隣り合う凸部列４７０Ａ，４７０Ａ間で互い違いに設けられている。
【０１６１】
ここで、複数の凸部列４７０Ａ〜４７０Ａは、１列又は複数列の凸部列４７０Ａが第１原稿ガイド４６１において上方へ、或いは、第２原稿ガイド４６２において下方へ立設していてもよいし、また、１列又は複数列の凸部列４７０Ａが第１原稿ガイド４６１において上方へ立設し、かつ、１列又は複数列の凸部列４７０Ａが第２原稿ガイド４６２において下方へ立設していてもよい。何れにしても、異物侵入方向Ｅにおいて、第１原稿ガイド４６１における最上流側の凸部列４７０Ａは、第２原稿ガイド４６２における最上流側の凸部列４７０Ａよりも上流側に位置していてもよいし、下流側に位置していてもよい。
【０１６２】
この例では、複数の凸部列４７０Ａ〜４７０Ａは、対向方向（具体的には左右方向Ｙ）において互いに接触（より詳しくは密着）するように配設されている。
【０１６３】
なお、複数の凸部列４７０Ａ〜４７０Ａは、対向方向（具体的には左右方向Ｙ）において隙間が設けられていてもよい。
【０１６４】
（第７実施形態）
第７実施形態では、図示を省略したが、第１実施形態から第５実施形態のうちの何れか１つと第６実施形態とを組み合わせた態様である。この場合、異物侵入方向Ｅにおいて、第６実施形態に係る凸部列４７０Ａのうち最上流側の凸部列４７０Ａを構成する複数の凸部４７０〜４７０は、第１実施形態から第５実施形態のうちの何れか１つに係る凸部４７０よりも上流側に位置していてもよいし、下流側に位置していてもよい。
【０１６５】
（第８実施形態）
第８実施形態では、第１原稿ガイド４６１及び第２原稿ガイド４６２のうち少なくとも一方（この例では第２原稿ガイド４６２）には、第１原稿ガイド４６１と第２原稿ガイド４６２との繋ぎ目α１部分の下方を覆う受け部４８０（図４から図１３参照）が設けられている。
【０１６６】
詳しくは、受け部４８０は、第１原稿ガイド４６１及び第２原稿ガイド４６２のうち上側に位置する原稿ガイド（この例では第２原稿ガイド４６２）に設けられている。
【０１６７】
具体的には、受け部４８０は、繋ぎ目方向（具体的には幅方向Ｘ）及び対向方向（具体的には左右方向Ｙ）の双方に沿った板状の部材とされている。受け部４８０は、繋ぎ目方向（具体的には幅方向Ｘ）に延びている。受け部４８０は、対向方向（具体的には左右方向Ｙ）において第２原稿ガイド４６２側の端部が、支持部４９０（図４から図１３参照）を介して第２原稿ガイド４６２の下面４６２ｃに設けられている。支持部４９０は、第２原稿ガイド４６２と下面４６２ｃで一体的に形成され、かつ、受け部４８０と上面４８０ａで一体的に形成されている。
【０１６８】
（第９実施形態）
図１５から図１７は、第９実施形態に係る原稿読取装置４００における原稿ガイド部材４６０の凸部４７０の断面形状を示す概略断面図である。図１５（ａ）から図１５（ｃ）及び図１６（ａ）から図１６（ｄ）は、傾斜面４７０ｂを有する凸部４７０の断面形状の例を示している。図１７（ａ）から図１７（ｃ）は、先端部４７１が平面又は湾曲面とされた凸部４７０の断面形状の例を示している。
【０１６９】
図１５及び図１６に示すように、凸部４７０は、断面視で基端部から先端部（頂部）に行くに従って幅（左右方向Ｙの寸法）が小さくなるように傾斜した傾斜面４７０ｂを有している。
【０１７０】
凸部４７０の断面形状としては、多角形状、具体的には、上底４７０ｃ（先端部側）が下底４７０ｄ（基端部側）よりも小さくかつ下底４７０ｄと双方の脚との角度θ１，θ２が９０度以下又は略９０度以下とされた山形台形状（図１５（ａ）参照）や、側辺が鉛直又は略鉛直とされかつ上辺が水平又は略水平とされた六角形又は略六角形状（図１５（ｂ）参照）、側辺が鉛直又は略鉛直とされた五角形又は略五角形状（図１５（ｃ）参照）、二等辺三角形又は略二等辺三角形状（図１６（ａ）参照）、直角三角形又は略直角三角形状（図１６（ｂ）参照）、直角二等辺三角形又は略直角二等辺三角形状（図１６（ｃ）参照）、鋭角三角形等の三角形状（図１６（ｄ）参照）を例示できる。
【０１７１】
第９実施形態において、異物Ｈの侵入を効果的に防止する上で、凸部４７０の断面形状が山形台形状（図１５（ａ）参照）の場合、一方の脚及び他方の脚のうちの下底４７０ｄとの角度θ１，θ２が大きい方の脚を異物Ｈが侵入する側に設けることが好ましい。
【０１７２】
また、第９実施形態において、異物Ｈの侵入を効果的に防止する上で、凸部４７０の断面形状が直角三角形又は略直角三角形状（図１６（ｂ）参照）、直角二等辺三角形又は略直角二等辺三角形状（図１６（ｃ）参照）、鋭角三角形等の三角形状等の三角形状（図１６（ｄ）参照）の場合、一方の辺及び他方の辺のうちの底辺４７０ｅとの角度θ３，θ４が大きい方の辺を異物Ｈが侵入する側に設けることが好ましい。
【０１７３】
図１７に示すように、凸部４７０は、断面視で側辺が鉛直又は略鉛直とされかつ先端部（頂面）４７１が平面（図１７（ａ）及び図１７（ｂ）参照）又は湾曲面（図１７（ｃ）参照）とされている。
【０１７４】
平面の断面形状としては、水平又は略水平な面（図１７（ａ）参照）や、対向方向（具体的には左右方向Ｙ）に傾斜する傾斜面（図１７（ｂ）参照）を例示できる。傾斜面（図１７（ｂ）参照）は、対向方向（具体的には左右方向Ｙ）において一方側に傾斜していてもよいし、他方側に傾斜していてもよい。また、湾曲面（図１７（ｃ）参照）としては、凸の湾曲面（具体的には、凸部４７０が上方に延びる場合には、上に凸の湾曲面を例示でき、凸部４７０が下方に延びる場合には、下に凸の湾曲面）を例示できる。湾曲面は、半円球面であってもよいし、半楕円球面であってもよい。
【０１７５】
これらことは、後述する第１０実施形態のカバー部材５２０における凸部５３０についても同様である。
【０１７６】
（第１０実施形態）
図１８は、第１０実施形態に係る原稿読取装置４００におけるカバー部材５２０の構成を説明するための説明図であって、カバー部材５２０及びその周辺部分を示す概略断面図である。図１９は、図１８に示すカバー部材５２０部分を拡大して示す概略拡大断面図である。図２０は、図１８に示すカバー部材５２０部分を正面側の右斜め上方から視た斜視図である。図２１は、図２０において第２カバー５２２を取り外した状態の正面側右端部分γを拡大して示す斜視図である。
【０１７７】
第１０実施形態では、図１８及び図１９に示すように、第１カバー５２１及び第２カバー５２２のうち、何れか一方（この例では第２カバー５２２）には凸部５３０が設けられ、何れか他方（この例では第１カバー５２１）には凸部５３０に係合される凹部５４０（図２１も参照）が設けられている。凸部５３０及び凹部５４０は、第１カバー５２１及び第２カバー５２２が対向する方向である対向方向（具体的には左右方向Ｙ）における第１カバー５２１の第２カバー５２２（具体的には固定された第２カバー５２２）に対する移動を規制すことができる。
【０１７８】
凸部５３０は、第２カバー５２２において下方へ立設した単一の凸部（この例では断面視で四角形状又は略四角形状の凸部）とされている。なお、第２カバー５２２は、筐体５１０にビス等の固定部材ＳＣ（図２０参照）により固定されている。
【０１７９】
ところで、第１カバー５２１は、筐体５１０に対してビス等の固定部材を用いることなく固定されている（図２０参照）。すなわち、第１カバー５２１の対向方向（具体的には左右方向Ｙ）の移動は、既述のとおり、凸部５３０及び凹部５４０の係合で規制されている。また、第１カバー５２１の幅方向Ｘ及び上下方向Ｚの移動は、筐体５１０（図２０参照）に設けられた第１係合部５１０ｂ（図２１参照）及び第１カバー５２１に設けられた第２係合部５２１１（図２１参照）の係合で規制される。第１カバー５２１における第２係合部５２１１（具体的には係止部）は、筐体５１０における第１係合部５１０ｂ（具体的には孔部）に対して幅方向Ｘにおける背面側から正面側に斜めに挿入して第１係合部５１０ｂ（具体的には孔部）に係止されるようになっている。これにより、第１カバー５２１は、対向方向（具体的には左右方向Ｙ）に加えて、幅方向Ｘ及び上下方向Ｚの双方への移動が規制されて筐体５１０に固定される。
【０１８０】
この例では、凸部５３０は、繋ぎ目方向（具体的にはカバー部材５２０の長手方向、幅方向Ｘ）における少なくとも開口ＯＰ２（具体的には画像読取領域を含む領域）に対応する領域β（図３参照）の全体（例えば第１カバー５２１の繋ぎ目方向における全域）に亘って連続的に形成されている。すなわち、凸部５３０は、繋ぎ目方向（具体的には幅方向Ｘ）に延びた凸条部とされている。また、凹部５４０は、凸状部とされた凸部５３０に対応して繋ぎ目方向（具体的には幅方向Ｘ）に延びた凹条部とされている。
【０１８１】
詳しくは、第１カバー５２１及び第２カバー５２２は、凸部５３０と凹部５４０とが近接又は接触（この例では近接）するように配設されている。
【０１８２】
具体的には、第１カバー５２１における凹部５４０と第２カバー５２２における凸部５３０との間には、所定の隙間が設けられている。この例では、凹部５４０と凸部５３０との対向方向（具体的には左右方向Ｙ）における両側の隙間がそれぞれ０．２５ｍｍ程度（全体で０．５ｍｍ程度）とされ、凹部５４０と凸部５３０との厚み方向（具体的には上下方向Ｚ）における隙間が０．２５ｍｍ程度とされている。なお、凹部５４０と凸部５３０とが対向方向（具体的には左右方向Ｙ）において密着されるか、或いは／さらに、凹部５４０と凸部５３０とが厚み方向（具体的には上下方向Ｚ）において密着されていてもよい。
【０１８３】
また、凹部５４０の頂部側の対向方向（具体的には左右方向Ｙ）における開口ＯＰ２側（異物Ｈが侵入する側とは反対側）の角部δ１（図１９参照）には、面取り部５４１（図１９参照）が形成されている。詳しくは、面取り部５４１は、対向方向（具体的には左右方向Ｙ）において内側から外側に行くに従って高くなるように傾斜した傾斜面とされている。
【０１８４】
また、凹部５４０の頂部側の対向方向（具体的には左右方向Ｙ）における開口ＯＰ２とは反対側（異物Ｈが侵入する側）の角部δ２（図１９参照）は、直角又は略直角とされている。また、第２カバー５２２には、凸部５３０と隣接する対向面５３１（図１９参照）が設けられている。対向面５３１は、開口ＯＰ２とは反対側（異物Ｈが侵入する側）で凹部５４０と隣接する頂面５４２（図１９参照）と対向する。第１カバー５２１及び第２カバー５２２は、頂面５４２と対向面５３１とが近接又は接触（この例では近接）するように配設されている。
【０１８５】
なお、第１カバー５２１と第２カバー５２２との繋ぎ目α２の重なる部分において、第１カバー５２１及び第２カバー５２２のうち少なくとも一方に、複数の凸部が設けられていてもよい。
【０１８６】
また、第１カバー５２１及び第２カバー５２２のうち少なくとも一方には、第１カバー５２１及び第２カバー５２２との繋ぎ目α２部分の下方を覆う受け部が設けられていてもよい。
【０１８７】
（本実施の形態について）
本実施の形態によれば、一部が厚み方向（この例では上下方向Ｚ）において互いに重なるように繋ぎ合わされた第１部材（この例では第１原稿ガイド４６１、第１カバー５２１）と第２部材（この例では第２原稿ガイド４６２、第２カバー５２２）との繋ぎ目（この例ではα１，α２）の重なる部分において、第１部材（この例では第１原稿ガイド４６１、第１カバー５２１）及び第２部材（この例では第２原稿ガイド４６２、第２カバー５２２）のうち少なくとも一方に設けられた凸部（この例では４７０，５３０）が厚み方向（この例では上下方向Ｚ）に延びているので、第１部材（この例では第１原稿ガイド４６１、第１カバー５２１）と第２部材（この例では第２原稿ガイド４６２、第２カバー５２２）との繋ぎ目（この例ではα１，α２）部分における凸部（この例では４７０，５３０）により、埃等の異物Ｈを阻止することができ、第１部材（この例では第１原稿ガイド４６１、第１カバー５２１）と第２部材（この例では第２原稿ガイド４６２、第２カバー５２２）との繋ぎ目（この例ではα１，α２）部分からの異物Ｈ（例えば搬送される原稿Ｇにより集積した紙粉等の埃）が画像読取装置２００（具体的には原稿読取装置４００）内に侵入することを効果的に防止することができる。これにより、画像読取装置２００（具体的には原稿読取装置４００）における光学系に異物Ｈが付着することを抑制することができる。従って、読み取った画像に筋等の画像不良の発生を抑えることが可能となる。しかも、異物Ｈが画像読取装置２００（具体的には原稿読取装置４００）内に侵入することを防止するために、第１部材（この例では第１原稿ガイド４６１、第１カバー５２１）及び第２部材（この例では第２原稿ガイド４６２、第２カバー５２２）のうち少なくとも一方に設けられる凸部（この例では４７０，５３０）を用いるので、従来の如く、シール部材を別途設けることがない。従って、組み立て作業性を向上させることが可能となる。
【０１８８】
このことは、開口閉塞部材が原稿ガイド部材４６０で構成され、第１部材が第１原稿ガイド４６１で構成され、第２部材が第２原稿ガイド４６２で構成されている場合、より詳しくは、画像読取装置２００において、原稿Ｇを載置した状態で読み取る原稿固定読取構成と、原稿Ｇを搬送しながら読み取る原稿移動読取構成とを備え、第１原稿ガイド４６１は、原稿固定読取構成において載置される原稿Ｇの位置を決める原稿位置決めガイドであり、第２原稿ガイド４６２は、原稿移動読取構成において搬送される原稿Ｇを案内する原稿搬送ガイドである場合に特に有効である。或いは／さらに、開口閉塞部材がカバー部材５２０で構成され、第１部材が第１カバー５２１で構成され、第２部材が第２カバー５２２で構成されている場合、より詳しくは、第１カバー５２１が筐体５１０を覆い、第２カバー５２２が開口ＯＰ２を閉塞する場合に特に有効である。
【０１８９】
また、本実施の形態において、凸部（この例では４７０，５３０）は、第１部材（この例では第１原稿ガイド４６１、第１カバー５２１）及び第２部材（この例では第２原稿ガイド４６２、第２カバー５２２）の繋ぎ目（この例ではα１，α２）に沿った繋ぎ目方向（具体的には幅方向Ｘ）における少なくとも開口ＯＰ１，ＯＰ２（具体的には画像読取領域を含む領域）に対応する領域βの全体に亘って形成されていることで、第１部材（この例では第１原稿ガイド４６１、第１カバー５２１）と第２部材（この例では第２原稿ガイド４６２、第２カバー５２２）との繋ぎ目（この例ではα１，α２）部分において、異物Ｈを開口ＯＰ１，ＯＰ２（具体的には画像読取領域を含む領域）に対応する領域βの全体に亘って阻止することができ、異物Ｈが画像読取装置２００（具体的には原稿読取装置４００）内に侵入することをさらに効果的に防止することができる。これにより、画像読取装置２００（具体的には原稿読取装置４００）における光学系に異物Ｈが付着することをさらに抑制することができる。
【０１９０】
また、本実施の形態において、第１部材（例えば第１原稿ガイド４６１）と第２部材（例えば第２原稿ガイド４６２）との繋ぎ目（例えばα１）の重なる部分において、第１部材（例えば第１原稿ガイド４６１）及び第２部材（例えば第２原稿ガイド４６２）のうち少なくとも一方に、複数の凸部（例えば４７０〜４７０）が設けられていることで（図８から図１４参照）、複数の凸部（例えば４７０〜４７０）により、第１部材（例えば第１原稿ガイド４６１）と第２部材（例えば第２原稿ガイド４６２）との繋ぎ目（例えばα１）部分において、異物Ｈをさらに阻止することができ、第１部材（例えば第１原稿ガイド４６１）と第２部材（例えば第２原稿ガイド４６２）との繋ぎ目（例えばα１）部分から、異物Ｈが画像読取装置２００（具体的には原稿読取装置４００）内に侵入することをさらに効果的に防止することができる。これにより、画像読取装置２００（具体的には原稿読取装置４００）における光学系に異物Ｈが付着することをさらに抑制することができる。
【０１９１】
また、本実施の形態において、凸部（例えば４７０）と、第１部材（例えば第１原稿ガイド４６１）及び第２部材（例えば第２原稿ガイド４６２）のうちの凸部（例えば４７０）が設けられる側とは反対側の部材との間が厚み方向（例えば上下方向Ｚ）において密着していることで、密着している部分で異物Ｈの侵入を確実に阻止することができる。
【０１９２】
また、本実施の形態において、凸部（例えば４７０）と、第１部材（例えば第１原稿ガイド４６１）及び第２部材（例えば第２原稿ガイド４６２）のうちの凸部（例えば４７０）が設けられる側とは反対側の部材との間に厚み方向（例えば上下方向Ｚ）において隙間が設けられていることで、該隙間に異物Ｈを溜めておくことができ、これにより、溜まった異物Ｈを定期的に除去することが可能となる。
【０１９３】
また、本実施の形態において、凸部（例えば４７０）と、第１部材（例えば第１原稿ガイド４６１）及び第２部材（例えば第２原稿ガイド４６２）のうちの凸部（例えば４７０）が設けられる側とは反対側の部材との間が対向方向（具体的には左右方向Ｙ）において密着していることで、密着している部分で異物Ｈの侵入を確実に阻止することができる。
【０１９４】
本実施の形態において、凸部（例えば４７０）と、第１部材（例えば第１原稿ガイド４６１）及び第２部材（例えば第２原稿ガイド４６２）のうちの凸部（例えば４７０）が設けられる側とは反対側の部材との間に対向方向（具体的には左右方向Ｙ）において隙間が設けられていることで、該隙間に異物Ｈを溜めておくことができ、これにより、溜まった異物Ｈを定期的に除去することが可能となる。
【０１９５】
また、本実施の形態において、第１部材（例えば第１原稿ガイド４６１）及び第２部材（例えば第２原稿ガイド４６２）のうち少なくとも一方には、第１部材（例えば第１原稿ガイド４６１）と第２部材（例えば第２原稿ガイド４６２）との繋ぎ目（例えばα１）部分の下方を覆う受け部（例えば４８０）（図４から図１３参照）が設けられていることで、たとえ第１部材（例えば第１原稿ガイド４６１）と第２部材（例えば第２原稿ガイド４６２）との繋ぎ目（例えばα１）部分から異物Ｈが落下したとしても、落下した異物Ｈを受け部（例えば４８０）により受けることができ、これにより、異物Ｈが画像読取装置２００（具体的には原稿読取装置４００）内に侵入することを有効に防止することが可能となる。
【０１９６】
また、本実施の形態において、凸部（例えば４７０）は、基端部から先端部に行くに従って幅が小さくなるように傾斜した傾斜面（例えば４７０ｂ）（図１５及び図１６参照）を有していることで、第１部材（例えば第１原稿ガイド４６１）に凸部（例えば４７０）が設けられる場合において、凸部（例えば４７０）を設けた第１部材（例えば第１原稿ガイド４６１）を金型成形する際に、金型から第１部材（例えば第１原稿ガイド４６１）を抜き易くすることができ、或いは／さらに、第２部材（例えば第２原稿ガイド４６２）に凸部（例えば４７０）が設けられる場合において、凸部（例えば４７０）を設けた第２部材（例えば第２原稿ガイド４６２）を金型成形する際に、金型から第２部材（例えば第２原稿ガイド４６２）を抜き易くすることができる。
【０１９７】
また、凸部（例えば４７０）の断面形状が山形台形状（図１５（ａ）参照）である場合、一方の脚及び他方の脚のうちの下底（例えば４７０ｄ）との角度θ１，θ２が大きい方の脚を異物Ｈが侵入する側に設けることで、下底（例えば４７０ｄ）との角度θ１，θ２が大きい方の脚部分において、異物Ｈを効果的に阻止することが可能となる。
【０１９８】
また、凸部（例えば４７０）の断面形状が直角三角形又は略直角三角形状（図１６（ｂ）参照）、直角二等辺三角形又は略直角二等辺三角形状（図１６（ｃ）参照）、鋭角三角形等の三角形状等の三角形状（図１６（ｄ）参照）である場合、一方の辺及び他方の辺のうちの底辺（例えば４７０ｅ）との角度θ３，θ４が大きい方の辺を異物Ｈが侵入する側に設けることで、底辺（例えば４７０ｅ）との角度θ３，θ４が大きい方の辺部分において、異物Ｈを効果的に阻止することが可能となる。
【０１９９】
また、本実施の形態において、凸部（例えば４７０）は、先端部が平面又は湾曲面とされていることで（図１７参照）、先端部が先鋭化されている場合に比べて、異物Ｈを平面又は湾曲面で留め置くことができる。しかも、凸部（例えば４７０）を射出成形や金型成形といった簡単な加工によって形成することができる。
【０２００】
また、本実施の形態において、第１カバー５２１及び第２カバー５２２が対向する方向である対向方向における第１カバー５２１の第２カバー５２２に対する移動を規制するように、第１カバー５２１及び第２カバー５２２のうち、何れか一方（この例では第２カバー５２２）には凸部５３０が設けられ、何れか他方（この例では第１カバー５２１）には凸部５３０に係合される凹部５４０が設けられていることで、第１カバー５２１の筐体５１０への取り付け作業を軽減させることができる。例えば、第１カバー５２１を筐体５１０に対してビス等の固定部材を用いることなく固定することができる。
【０２０１】
また、第１カバー５２１及び第２カバー５２２のうち、何れか他方（この例では第１カバー５２１）には凹部５４０が設けられていることで、凹部５４０に異物Ｈを溜めておくことができ、これにより、溜まった異物Ｈを定期的に除去することが可能となる。
【０２０２】
ところで、凸部５３０を凹部５４０に挿通し易くするという観点から、凹部５４０の頂部側の対向方向（具体的には左右方向Ｙ）における両側の角部δ１，δ２に面取り部を形成することが考えられるが、凹部５４０の頂部側の対向方向（具体的には左右方向Ｙ）における開口ＯＰ２とは反対側（異物Ｈが侵入する側）の角部δ２に面取り部を形成すると、異物Ｈが侵入し易くなってしまう。
【０２０３】
この点、本実施の形態では、凹部５４０の頂部側の対向方向（具体的には左右方向Ｙ）における開口ＯＰ２側（異物Ｈが侵入する側とは反対側）の角部δ１に面取り部５４１が形成されていることで、凸部５３０を凹部５４０に挿通し易くする凸部挿通性の向上と、異物Ｈの侵入を効果的に防止する異物侵入性の向上とを両立させることが可能となる。
【０２０４】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０２０５】
１００      画像形成装置
１１０      画像形成装置本体
２００      画像読取装置
３００      自動原稿搬送装置
４００      原稿読取装置
４１０      原稿載置台
４１１      原稿台用透明体
４１２      原稿読取用透明体
４６０      原稿ガイド部材
４６１      第１原稿ガイド
４６１１    指示プレート
４６１３    第１延設部
４６１４    第２延設部
４６１ａ    鉛直面
４６１ｂ    第１延設部の上面
４６１ｃ    側面
４６１ｄ    窪み部
４６１ｄ１  窪み部の第１面
４６１ｄ２  窪み部の第２面
４６１ｅ    第２延設部の上面
４６２      第２原稿ガイド
４６２１    搬送ガイド面
４６２ａ    鉛直面
４６２ｂ    窪み部
４６２ｂ１  窪み部の第１面
４６２ｂ２  窪み部の第２面
４６２ｃ    第２原稿ガイドの下面
４６２ｅ    側面
４７０      凸部
４７０Ａ    凸部列
４７０ａ    間隔
４７０ｂ    傾斜面
４７０ｃ    上底
４７０ｄ    下底
４７０ｅ    底辺
４８０      受け部
４８０ａ    受け部の上面
４９０      支持部
５１０      筐体
５１０ａ    上面
５１０ｂ    第１係合部
５２０      カバー部材
５２１      第１カバー
５２１１    第２係合部
５２１ａ    鉛直面
５２２      第２カバー
５２２１    搬送ガイド面
５２２ａ    鉛直面
５３０      凸部
５３１      対向面
５４０      凹部
５４１      面取り部
５４２      頂面
Ｅ          異物侵入方向
Ｇ          原稿
Ｈ          異物
ＯＰ        開口部
ＯＰ１      開口
ＯＰ２      開口
ＳＣ        固定部材
Ｘ          幅方向
Ｙ          左右方向
Ｚ          上下方向
α１        繋ぎ目
α２        繋ぎ目
β          画像読取領域に対応する領域
δ１        角部
δ２        角部
【図１】
0006654398.tif 000002
【図２】
0006654398.tif 000003
【図３】
0006654398.tif 000004
【図４】
0006654398.tif 000005
【図５】
0006654398.tif 000006
【図６】
0006654398.tif 000007
【図７】
0006654398.tif 000008
【図８】
0006654398.tif 000009
【図９】
0006654398.tif 000010
【図１０】
0006654398.tif 000011
【図１１】
0006654398.tif 000012
【図１２】
0006654398.tif 000013
【図１３】
0006654398.tif 000014
【図１４】
0006654398.tif 000015
【図１５】
0006654398.tif 000016
【図１６】
0006654398.tif 000017
【図１７】
0006654398.tif 000018
【図１８】
0006654398.tif 000019
【図１９】
0006654398.tif 000020
【図２０】
0006654398.tif 000021
【図２１】
0006654398.tif 000022
【図２２】
0006654398.tif 000023